(57)【要約】【課題】本発明は点灯制御装置および照明装置に関し、電流のピーク値を抑制できる点灯制御装置および照明装置を得ることを目的とする。【解決手段】本発明に係る点灯制御装置は、電源から電力を供給され、第１スイッチング素子のオンオフにより第１光源を点灯させる第１点灯回路と、該電源から電力を供給され、第２スイッチング素子のオンオフにより第２光源を点灯させる第２点灯回路と、該第１点灯回路と、該第２点灯回路と、を制御する制御部と、を備え、該制御部は、同期信号の第１タイミングと同期して該第１スイッチング素子をオンし、該同期信号の該第１タイミングとは異なる第２タイミングと同期して該第２スイッチング素子をオンさせる。【選択図】図２
2020124064.tif 000002
【特許請求の範囲】
【請求項１】
電源から電力を供給され、第１スイッチング素子のオンオフにより第１光源を点灯させる第１点灯回路と、
前記電源から電力を供給され、第２スイッチング素子のオンオフにより第２光源を点灯させる第２点灯回路と、
前記第１点灯回路と、前記第２点灯回路と、を制御する制御部と、
を備え、
前記制御部は、同期信号の第１タイミングと同期して前記第１スイッチング素子をオンし、前記同期信号の前記第１タイミングとは異なる第２タイミングと同期して前記第２スイッチング素子をオンさせることを特徴とする点灯制御装置。
【請求項２】
前記制御部は、前記第１点灯回路を制御する第１制御部と、前記第２点灯回路を制御する第２制御部と、を有し、
前記第１制御部は、前記同期信号を前記第２制御部に送信することを特徴とする請求項１に記載の点灯制御装置。
【請求項３】
前記第１制御部は、前記同期信号を送信する出力端子を有し、
前記第２制御部は、前記同期信号を受信する入力端子を有することを特徴とする請求項２に記載の点灯制御装置。
【請求項４】
前記第１タイミングは、前記同期信号の立ち上がりおよび立下りの一方であり、
前記第２タイミングは、前記同期信号の立ち上がりおよび立下りの他方であることを特徴とする請求項１から３の何れか１項に記載の点灯制御装置。
【請求項５】
前記制御部は、前記同期信号のデューティ比を変化させることを特徴とする請求項１から４の何れか１項に記載の点灯制御装置。
【請求項６】
前記制御部は、前記同期信号のデューティ比を前記第１光源または前記第２光源の調光率に応じて変化させることを特徴とする請求項５に記載の点灯制御装置。
【請求項７】
前記制御部は、前記第１スイッチング素子および前記第２スイッチング素子の一方がオンするタイミングと、前記第１スイッチング素子および前記第２スイッチング素子の他方がオフするタイミングが重ならないように、前記同期信号のデューティ比を変化させることを特徴とする請求項５または６に記載の点灯制御装置。
【請求項８】
前記第１スイッチング素子のオン期間と、前記第２スイッチング素子のオン期間は重ならないことを特徴とする請求項１から７の何れか１項に記載の点灯制御装置。
【請求項９】
前記同期信号は矩形波であることを特徴とする請求項１から８の何れか１項に記載の点灯制御装置。
【請求項１０】
前記同期信号は三角波であることを特徴とする請求項１から８の何れか１項に記載の点灯制御装置。
【請求項１１】
前記第１光源と、
前記第２光源と、
請求項１から１０の何れか１項に記載の点灯制御装置と、
を備えることを特徴とする照明装置。
【発明の詳細な説明】
【技術分野】
【０００１】
本発明は、点灯制御装置および照明装置に関する。
【背景技術】
【０００２】
特許文献１には、複数の電源電圧変換回路を有する電源装置が開示されている。複数の電源電圧変換回路には、それぞれ負荷が接続されるとともにスイッチング素子が設けられる。複数の電源電圧変換回路のスイッチング素子は、少なくとも２つ以上の異なるスイッチング周波数でオンオフ動作する。
【先行技術文献】
【特許文献】
【０００３】
【特許文献１】特許第６１７３６５８号公報
【発明の概要】
【発明が解決しようとする課題】
【０００４】
特許文献１のように、複数の点灯回路がそれぞれ異なるスイッチング周波数で動作すると、複数のスイッチング素子のスイッチングのタイミングが揃う場合とずれる場合が存在する。複数の点灯回路のスイッチングのタイミングが揃った場合、複数の点灯回路のスイッチング素子が同時にオンする。このとき、複数の点灯回路の前段に接続された電解コンデンサからの放電電流が過度に増大するおそれがある。また、電解コンデンサからの放電電流に伴い、複数の点灯回路から放射されるノイズが増大する可能性があった。
【０００５】
本発明は、上述の課題を解決するためになされたもので、電流のピーク値を抑制できる点灯制御装置および照明装置を得ることを目的とする。
【課題を解決するための手段】
【０００６】
本発明に係る点灯制御装置は、電源から電力を供給され、第１スイッチング素子のオンオフにより第１光源を点灯させる第１点灯回路と、該電源から電力を供給され、第２スイッチング素子のオンオフにより第２光源を点灯させる第２点灯回路と、該第１点灯回路と、該第２点灯回路と、を制御する制御部と、を備え、該制御部は、同期信号の第１タイミングと同期して該第１スイッチング素子をオンし、該同期信号の該第１タイミングとは異なる第２タイミングと同期して該第２スイッチング素子をオンさせる。
【発明の効果】
【０００７】
本発明に係る点灯制御装置では、第１スイッチング素子と第２スイッチング素子とが、１つの同期信号の異なるタイミングとそれぞれ同期してオンする。これにより、電流のピーク値を抑制できる。
【図面の簡単な説明】
【０００８】
【図１】実施の形態１に係る照明装置の回路ブロック図である。
【図２】実施の形態１に係る照明装置の電流電圧波形を示す図である。
【図３】比較例に係る照明装置の電流電圧波形を示す図である。
【発明を実施するための形態】
【０００９】
本発明の実施の形態に係る点灯制御装置および照明装置について図面を参照して説明する。同じ又は対応する構成要素には同じ符号を付し、説明の繰り返しを省略する場合がある。
【００１０】
実施の形態１．
図１は、実施の形態１に係る照明装置１００の回路ブロック図である。照明装置１００は、点灯制御装置１、第１光源部１３−１および第２光源部１３−２を備える。
【００１１】
第１光源部１３−１および第２光源部１３−２は、点灯制御装置１の出力に接続される。第１光源部１３−１は複数の光源１４−１を有する。第２光源部１３−２は複数の光源１４−２を有する。光源１４−１、１４−２は、例えばＬＥＤ等の発光素子である。第１光源部１３−１において、複数の光源１４−１は直列に接続されている。これに限らず、複数の光源１４−１は、並列または直並列に接続されても良い。同様に、第２光源部１３−２において、複数の光源１４−２は直列に接続されている。これに限らず、複数の光源１４−２は、並列または直並列に接続されても良い。また、第１光源部１３−１および第２光源部１３−２は、光源１４−１、光源１４−２をそれぞれ１つ以上有すれば良い。
【００１２】
点灯制御装置１は、ＰＦＣ（Ｐｏｗｅｒ  Ｆａｃｔｏｒ  Ｃｏｒｒｅｃｔｉｏｎ）回路１１、コンデンサＣ１、第１点灯回路１２−１、第２点灯回路１２−２、制御部、端子部ＣＮ１および端子部ＣＮ２を備える。
【００１３】
ＰＦＣ回路１１の入力側には、商用電源ＡＣが接続される。ＰＦＣ回路１１は、整流回路ＤＢおよび昇圧チョッパ回路１１ａを備える。ＰＦＣ回路１１は、商用電源ＡＣの交流を直流に変換して出力する。ＰＦＣ回路１１の出力と並列に、コンデンサＣ１が接続される。コンデンサＣ１には、ＰＦＣ回路１１の出力電圧が充電される。コンデンサＣ１は電解コンデンサである。
【００１４】
コンデンサＣ１には、第１点灯回路１２−１および第２点灯回路１２−２が並列に接続される。第１点灯回路１２−１の出力側には、端子部ＣＮ１を介して第１光源部１３−１が接続される。第２点灯回路１２−２の出力側には、端子部ＣＮ２を介して第２光源部１３−２が接続される。
【００１５】
第１点灯回路１２−１および第２点灯回路１２−２は、第１光源部１３−１および第２光源部１３−２にそれぞれ電力を供給する。第１点灯回路１２−１および第２点灯回路１２−２は、例えばバックコンバータ回路である。
【００１６】
第１点灯回路１２−１において、コンデンサＣ１の正極には、第１スイッチング素子Ｑ１のドレインが接続される。第１スイッチング素子Ｑ１は例えばＭＯＳＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）である。第１スイッチング素子Ｑ１のソースはコイルＬ１の一端およびダイオードＤ１のカソードに接続される。第１スイッチング素子Ｑ１のゲートは、第１制御部ＩＣ１のＶｇ１端子に接続される。コイルＬ１の他端はコンデンサＣ２の正極に接続される。ダイオードＤ１のアノードは、コンデンサＣ１の負極に接続される。
【００１７】
コンデンサＣ２の負極は抵抗Ｒ１の一端に接続される。抵抗Ｒ１の他端は、ダイオードＤ１のアノードおよびコンデンサＣ１の負極に接続される。また、抵抗Ｒ１の一端は、第１制御部ＩＣ１のＶｄ１端子に接続される。
【００１８】
第１制御部ＩＣ１は、例えばマイコンである。第１制御部ＩＣ１は第１点灯回路１２−１を制御する。抵抗Ｒ１には、第１光源部１３−１を流れるＬＥＤ電流に応じた電圧が印加される。抵抗Ｒ１に印加される電圧は、第１制御部ＩＣ１のＬＥＤ電流検出ポートであるＶｄ１端子に入力される。第１制御部ＩＣ１は、Ｖｄ１端子に入力される電圧に基づき、第１光源部１３−１に流れる電流が予め定められた目標値となるように、Ｖｇ１端子から第１スイッチング素子Ｑ１にスイッチング信号を出力する。
【００１９】
このように、第１点灯回路１２−１は、ＰＦＣ回路１１から電力を供給され、第１スイッチング素子Ｑ１のオンオフにより第１光源部１３−１を点灯させる。コンデンサＣ１に印加されるＰＦＣ回路１１の出力電圧は、第１点灯回路１２−１の電源となる。
【００２０】
第２点灯回路１２−２の構成は第１点灯回路１２−１と同様である。第２点灯回路１２−２において、コンデンサＣ１の正極には、第２スイッチング素子Ｑ２のドレインが接続される。第２スイッチング素子Ｑ２は例えばＭＯＳＦＥＴである。第２スイッチング素子Ｑ２のソースはコイルＬ２の一端およびダイオードＤ２のカソードに接続される。第２スイッチング素子Ｑ２のゲートは、第２制御部ＩＣ２のＶｇ２端子に接続される。コイルＬ２の他端はコンデンサＣ３の正極に接続される。ダイオードＤ２のアノードは、コンデンサＣ１の負極に接続される。
【００２１】
コンデンサＣ３の負極は抵抗Ｒ２の一端に接続される。抵抗Ｒ２の他端は、ダイオードＤ２のアノードおよびコンデンサＣ１の負極に接続される。また、抵抗Ｒ２の一端は、第２制御部ＩＣ２のＶｄ２端子に接続される。
【００２２】
第２制御部ＩＣ２は、例えばマイコンである。第２制御部ＩＣ２は第２点灯回路１２−２を制御する。抵抗Ｒ２には、第２光源部１３−２を流れるＬＥＤ電流に応じた電圧が印加される。抵抗Ｒ２に印加される電圧は、第２制御部ＩＣ２のＬＥＤ電流検出ポートであるＶｄ２端子に入力される。第２制御部ＩＣ２は、Ｖｄ２端子に入力される電圧に基づき、第２光源部１３−２に流れる電流が予め定められた目標値となるように、Ｖｇ２端子から第２スイッチング素子Ｑ２にスイッチング信号を出力する。
【００２３】
このように、第２点灯回路１２−２は、ＰＦＣ回路１１から電力を供給され、第２スイッチング素子Ｑ２のオンオフにより第２光源部１３−２を点灯させる。コンデンサＣ１に印加されるＰＦＣ回路１１の出力電圧は、第２点灯回路１２−２の電源となる。
【００２４】
本実施の形態では、第１制御部ＩＣ１と第２制御部ＩＣ２が第１点灯回路１２−１と第２点灯回路１２−２を制御する制御部に該当する。第１制御部ＩＣ１は出力端子Ｐｏ１を有する。第２制御部ＩＣ２は入力端子Ｐｉ２を有する。出力端子Ｐｏ１と入力端子Ｐｉ２は接続されている。第１制御部ＩＣ１と第２制御部ＩＣ２は、出力端子Ｐｏ１、入力端子Ｐｉ２を介して通信する。
【００２５】
第１制御部ＩＣ１は、第１制御部ＩＣ１のクロックを分周して同期信号を生成する。第１制御部ＩＣ１は、同期信号を出力端子Ｐｏ１から出力する。同期信号は、例えば４７ｋＨｚの固定周波数を有する。同期信号は、ＨｉｇｈおよびＬｏｗからなる矩形波である。同期信号のデューティ比は例えば５０％である。
【００２６】
第１制御部ＩＣ１の出力端子Ｐｏ１から送信された同期信号は、第２制御部ＩＣ２の入力端子Ｐｉ２で受信される。第２制御部ＩＣ２において、同期信号はコンパレータに入力される。
【００２７】
図２は、実施の形態１に係る照明装置１００の電流電圧波形を示す図である。図２は、上から、同期信号、コイルＬ１の電流Ｉｃｏ１、コイルＬ１の電圧Ｖｃｏ１、コイルＬ２の電流Ｉｃｏ２、コイルＬ２の電圧Ｖｃｏ２およびコンデンサＣ１の放電電流の時系列推移を示す。
【００２８】
本実施の形態では、同期信号が第１スイッチング素子Ｑ１および第２スイッチング素子Ｑ２のスイッチングのトリガとなる。第１制御部ＩＣ１は、同期信号の立ち上がりと同期して、第１スイッチング素子Ｑ１をターンオンさせるオン信号を出力する。また、第２制御部ＩＣ２は、同期信号の立下りと同期して第２スイッチング素子Ｑ２をターンオンさせるオン信号を出力する。
【００２９】
第１スイッチング素子Ｑ１をターンオンさせることで、コイルＬ１の電流Ｉｃｏ１が増加し、第１スイッチング素子Ｑ１をターンオフさせることで、コイルＬ１の電流Ｉｃｏ１が減少する。同様に、第２スイッチング素子Ｑ２をターンオンさせることで、コイルＬ２の電流Ｉｃｏ２が増加し、第２スイッチング素子Ｑ２をターンオフさせることで、コイルＬ２の電流Ｉｃｏ２が減少する。
【００３０】
制御部は、第１点灯回路１２−１および第２点灯回路１２−２を不連続モードで動作させている。このため、コイルＬ１、コイルＬ２の電流Ｉｃｏ１、Ｉｃｏ２には、ゼロとなる休止期間がある。
【００３１】
第１スイッチング素子Ｑ１がオン状態のとき、コイルＬ１に印加される電圧Ｖｃｏ１はＶｉｎ１−Ｖｏｕｔ１である。また、第１スイッチング素子Ｑ１がオフ状態のとき、コイルＬ１に印加される電圧Ｖｃｏ１は−Ｖｏｕｔ１である。ここで、Ｖｉｎ１は第１点灯回路１２−１への入力電圧であり、Ｖｏｕｔ１は第１点灯回路１２−１の出力電圧である。
【００３２】
同様に、第２スイッチング素子Ｑ２がオン状態のとき、コイルＬ２に印加される電圧Ｖｃｏ２はＶｉｎ２−Ｖｏｕｔ２である。また、第２スイッチング素子Ｑ２がオフ状態のとき、コイルＬ２に印加される電圧Ｖｃｏ２は−Ｖｏｕｔ２である。ここで、Ｖｉｎ２は第２点灯回路１２−２への入力電圧であり、Ｖｏｕｔ２は第２点灯回路１２−２の出力電圧である。
【００３３】
第１スイッチング素子Ｑ１がオフ状態であり、コイルＬ１の電流Ｉｃｏ１がゼロのとき、コイルＬ１の電圧Ｖｃｏ１には振動電圧が発生する。これは、第１スイッチング素子Ｑ１の寄生容量成分とコイルＬ１のインダクタンスによるものである。同様に、第２スイッチング素子Ｑ２がオフ状態であり、コイルＬ２の電流Ｉｃｏ２がゼロのとき、コイルＬ２の電圧Ｖｃｏ２に振動電圧が発生する。また、コンデンサＣ１の放電電流は、コイルＬ１の電流Ｉｃｏ１とコイルＬ２の電流Ｉｃｏ２の和に相当する。
【００３４】
図３は、比較例に係る照明装置の電流電圧波形を示す図である。比較例に係る照明装置は、第１スイッチング素子Ｑ１と第２スイッチング素子Ｑ２のターンオンおよびターンオフのタイミングが一致する点が、本実施の形態と異なる。比較例において、第１制御部ＩＣ１および第２制御部ＩＣ２は、共に同期信号の立ち上がりと同期して、第１スイッチング素子Ｑ１および第２スイッチング素子Ｑ２をそれぞれターンオンさせる。このため、コイルＬ１の電流Ｉｃｏ１とコイルＬ２の電流Ｉｃｏ２は同じタイミングで増加する。
【００３５】
比較例において、コンデンサＣ１の放電電流は、第１スイッチング素子Ｑ１および第２スイッチング素子Ｑ２のターンオンと共に立ち上がり、増大する。コンデンサＣ１の放電電流は、第１スイッチング素子Ｑ１および第２スイッチング素子Ｑ２のターンオフのタイミングで最大となる。
【００３６】
比較例に係る照明装置では第１スイッチング素子Ｑ１および第２スイッチング素子Ｑ２のターンオンおよびターンオフのタイミングが一致する。このため、コンデンサＣ１の放電電流のピークは、電流Ｉｃｏ１の最大値と電流Ｉｃｏ２の最大値との和となる。このため、コンデンサＣ１の放電電流のピークが大きくなり易く、放電電流の変化が急峻となり易い。このため、ターンオンおよびターンオフ時に発生するスイッチングノイズが大きくなり、スイッチングノイズによるエネルギー損失が大きくなるおそれがある。
【００３７】
また、別の比較例として、第１点灯回路１２−１のスイッチングのトリガとなるクロックの周波数と、第２点灯回路１２−２のスイッチングのトリガとなるクロックの周波数をずらすことが考えられる。この場合も、周期的に第１スイッチング素子Ｑ１と第２スイッチング素子Ｑ２のターンオンのタイミングが一致する。従って、コンデンサＣ１の放電電流が増大するおそれがある。
【００３８】
これに対し、本実施の形態では、第１スイッチング素子Ｑ１と第２スイッチング素子Ｑ２のスイッチングのタイミングは、１つの同期信号に同期し、かつ、同期信号の１周期内に分散される。第１制御部ＩＣ１は同期信号の第１タイミングと同期して第１スイッチング素子Ｑ１をオンし、第２制御部ＩＣ２は同期信号の第１タイミングとは異なる第２タイミングと同期して第２スイッチング素子Ｑ２をオンさせる。これにより、コイルＬ１の電流Ｉｃｏ１とコイルＬ２の電流Ｉｃｏ２の立ち上がりのタイミングがずれる。従って、第１スイッチング素子Ｑ１および第２スイッチング素子Ｑ２が同時にターンオンする場合と比較して、コンデンサＣ１の放電電流を抑制できる。本実施の形態ではコンデンサＣ１の放電電流のピークを、比較例の放電電流のピークの約半分にできる。また、コンデンサＣ１の放電電流の山と谷の差分である変化幅を、比較例よりも小さくできる。
【００３９】
コンデンサＣ１の放電電流のピークが小さくなり、放電電流の変化が緩やかになることで、スイッチングノイズによるエネルギー損失を抑制できる。また、本実施の形態では、比較例よりもコンデンサＣ１に流れる電流の実効値を小さくできる。このため、コンデンサＣ１の発熱を抑制できる。よって、コンデンサＣ１の設計寿命を延ばすことができる。
【００４０】
さらに、本実施の形態では、第１スイッチング素子Ｑ１と第２スイッチング素子Ｑ２を同じ周波数でスイッチングさせつつ、ターンオンするタイミングをずらす。これにより、第１スイッチング素子Ｑ１と第２スイッチング素子Ｑ２のスイッチングのタイミングが周期的に重なることを防止できる。つまり、第１スイッチング素子Ｑ１と第２スイッチング素子Ｑ２のターンオンのタイミングを確実にずらすことができる。
【００４１】
また、本実施の形態では、第１スイッチング素子Ｑ１のオン期間と、第２スイッチング素子Ｑ２のオン期間は重ならない。第１制御部ＩＣ１は、同期信号の立ち上がりと共に第１スイッチング素子Ｑ１をターンオンし、その後同期信号が立ち下がる前に第１スイッチング素子Ｑ１をターンオフする。また、第２制御部ＩＣ２は、同期信号の立下りと共に第２スイッチング素子Ｑ２をターンオンし、その後同期信号が立ちあがる前に第２スイッチング素子Ｑ２をターンオフする。これにより、さらにコンデンサＣ１の放電電流のピークを抑制できる。これに限らず、第１スイッチング素子Ｑ１のオン期間と、第２スイッチング素子Ｑ２のオン期間は重なっていても良い。
【００４２】
ここで、第１スイッチング素子Ｑ１がオンする第１タイミングは同期信号の立ち上がりに限らない。また、第２スイッチング素子Ｑ２がオンする第２タイミングは同期信号の立下りに限らない。第１タイミングと第２タイミングは異なるタイミングであれば良い。第１タイミングは、同期信号の立ち上がりおよび立下りの一方であり、第２タイミングは、同期信号の立ち上がりおよび立下りの他方であっても良い。また、第１タイミングは同期信号の立ち上がりであり、第２タイミングは同期信号の立ち上がりから予め定められた遅延時間が経過したタイミングであっても良い。
【００４３】
また、本実施の形態では、第１制御部ＩＣ１は、コイルＬ２の電流がゼロとなった時、第１制御部ＩＣ１をターンオフする。また、第２制御部ＩＣ２は、コイルＬ１の電流がゼロとなった時、第２スイッチング素子Ｑ２をターンオフする。これに限らず、第１制御部ＩＣ１は、第１スイッチング素子Ｑ１をターンオンさせてから一定時間経過したあと、第１スイッチング素子Ｑ１をターンオフさせても良い。同様に、第２制御部ＩＣ２は、第２スイッチング素子Ｑ２をターンオンさせてから一定時間経過したあと、第２スイッチング素子Ｑ２をターンオフさせても良い。
【００４４】
また、第１制御部ＩＣ１は同期信号の第３タイミングと同期して第１スイッチング素子Ｑ１をオフし、第２制御部ＩＣ２は同期信号の第３タイミングとは異なる第４タイミングと同期して第２スイッチング素子Ｑ２をオフさせても良い。これにより、第１スイッチング素子Ｑ１と第２スイッチング素子Ｑ２のターンオフのタイミングを確実にずらすことができる。
【００４５】
また、本実施の形態では第１スイッチング素子Ｑ１のオン時間と第２スイッチング素子Ｑ２のオン時間は等しい。これに限らず、第１スイッチング素子Ｑ１のオン時間と第２スイッチング素子Ｑ２のオン時間は異なっていても良い。
【００４６】
本実施の形態では、不連続モードでの動作を説明している。これに限らず、制御部は、第１点灯回路１２−１および第２点灯回路１２−２を臨界モードまたは連続モードで動作させても良い。臨界モードにおいて、第１スイッチング素子Ｑ１および第２スイッチング素子Ｑ２の各々は、ターンオフし、放電開始後コイル電流がゼロとなった瞬間にターンオンする。連続モードにおいて、第１スイッチング素子Ｑ１および第２スイッチング素子Ｑ２の各々は、コイル電流がゼロになる前にターンオンする。これらの場合にも、本実施の形態と同様の効果を得ることができる。
【００４７】
また、本実施の形態の同期信号のデューティ比は固定されている。これに限らず、制御部は、同期信号のデューティ比を変化させても良い。制御部は、例えば同期信号のデューティ比を第１光源部１３−１または第２光源部１３−２の調光率に応じて変化させても良い。
【００４８】
第１スイッチング素子Ｑ１と第２スイッチング素子Ｑ２のオン時間は、調光率に応じて決まることがある。この場合、同期信号のデューティ比が固定されていると、調光率によっては第１スイッチング素子Ｑ１および第２スイッチング素子Ｑ２の一方がオンするタイミングと、他方がオフするタイミングとが重なることがある。これを防止するように、制御部は、第１スイッチング素子Ｑ１および第２スイッチング素子Ｑ２の一方がオンするタイミングと、他方がオフするタイミングとが重ならないように、同期信号のデューティ比を変化させても良い。これにより、スイッチングノイズを更に抑制できる。
【００４９】
また、制御部は、同期信号のデューティ比を第１光源部１３−１または第２光源部１３−２の調光信号のデューティ比に合わせて変化させても良い。第１点灯回路１２−１の調光率と第２点灯回路１２−２の調光率に合わせて第１スイッチング素子Ｑ１および第２スイッチング素子Ｑ２をターンオンおよびターンオフさせることにより、設計上のチューニングが行い易くなる。これにより、スイッチングノイズを更に抑制できる。また、調光信号を同期信号として用いることができるため、制御部で実施される制御を簡易化できる。
【００５０】
更に、同期信号は矩形波に限らず、三角波でも良い。同期信号が三角波の場合、三角波のゼロクロスを第１スイッチング素子Ｑ１および第２スイッチング素子Ｑ２のターンオンまたはターンオフのトリガとすることが考えられる。
【００５１】
また、本実施の形態では、第１点灯回路１２−１と第２点灯回路１２−２は、コンデンサＣ１から電力を供給される。これに限らず、第１点灯回路１２−１と第２点灯回路１２−２は、蓄電池等の直流電源から電力を供給されても良い。この場合、ＰＦＣ回路１１は設けなくても良い。第１点灯回路１２−１と第２点灯回路１２−２は、共通の電源から電力を供給されれば良い。
【００５２】
また、本実施の形態では、第１制御部ＩＣ１が同期信号を第２制御部ＩＣ２に送信する。これに限らず、同期信号は制御部の外部から第１制御部ＩＣ１と第２制御部ＩＣ２に供給されても良い。
【００５３】
また、本実施の形態の照明装置１００は、点灯回路および光源部をそれぞれ２つ備える。これに限らず、照明装置１００は、点灯回路および光源部をそれぞれ３つ以上備えても良い。
【００５４】
点灯制御装置１は例えば、ダウンライト、ペンダント型ライト、高天井照明等に用いても良い。点灯制御装置１は複数の光源を備える各種照明装置に用いることができる。
【００５５】
なお、本実施の形態で説明した技術的特徴は適宜に組み合わせて用いてもよい。
【符号の説明】
【００５６】
１  点灯制御装置、１１  ＰＦＣ回路、１１ａ  昇圧チョッパ回路、１２−１  第１点灯回路、１２−２  第２点灯回路、１３−１  第１光源部、１３−２  第２光源部、１４−１、１４−２  光源、１００  照明装置、ＡＣ  商用電源、ＣＮ１、ＣＮ２  端子部、ＩＣ１  第１制御部、ＩＣ２  第２制御部、Ｌ１、Ｌ２  コイル、Ｃ１、Ｃ２、Ｃ３  コンデンサ、Ｄ１、Ｄ２  ダイオード、ＤＢ  整流回路、Ｐｉ２  入力端子、Ｐｏ１  出力端子、Ｑ１  第１スイッチング素子、Ｑ２  第２スイッチング素子、Ｒ１、Ｒ２  抵抗
【図１】
2020124064.tif 000003
【図２】
2020124064.tif 000004
【図３】
2020124064.tif 000005